(57)【要約】【課題】  豪雪時においても吸気ダクトから雪を取り込まないようにすることのできるパッケージ型発電装置を提供する。【解決手段】  パッケージ型発電装置は、ベース１上に発電機３、エンジン４および制御盤７を搭載して防音壁構造を有するパッケージ８で覆って構成されている。パッケージ８の側面には、逆Ｌ字形をなす吸気ダクト１９が連結されており、この吸気ダクト１９の上下方向に延びる部分のパッケージ８に対向する面に冷却風を取り入れる開口部１９ａが形成されている。吸気ダクト１９の開口部１９ａから吸気された冷却風１２は、吸気ダクト１９内を屈曲するように流れてパッケージ８内に取り込まれる。【選択図】  図１
2006136109.tif 000002
【特許請求の範囲】
【請求項１】
ベース上に発電機、エンジンおよび制御盤を搭載して防音壁構造を有するパッケージで覆い、このパッケージの側面に吸気ダクトを設けたパッケージ型発電装置において、前記吸気ダクトを、その内部を通過する冷却風の流れが屈曲するように構成したことを特徴とするパッケージ型発電装置。
【請求項２】
前記吸気ダクトを逆Ｌ字形に構成し、上下方向に延びる部分の前記パッケージに面する側に開口部を形成したことを特徴とする請求項１に記載のパッケージ型発電装置。
【請求項３】
前記吸気ダクトの開口部の周囲にフェンスを設けたことを特徴とする請求項２に記載のパッケージ型発電装置。
【請求項４】
ベース上に発電機、エンジンおよび制御盤を搭載して防音壁構造を有するパッケージで覆い、このパッケージの上部に、上部開口部を有する排気ダクトを設けたパッケージ型発電装置において、前記排気ダクトの上部開口部にカバーを設け、このカバーを、周囲４方向および上方向を開口し、各開口部にそれぞれ網状体を取り付けて構成したことを特徴とするパッケージ型発電装置。
【発明の詳細な説明】
【技術分野】
【０００１】
本発明は、特に豪雪対応に適したパッケージ型発電装置に関するものである。
【背景技術】
【０００２】
パッケージ型発電装置は、ベース上に発電機やエンジン等の機器を搭載して防音壁構造を有するパッケージで覆って構成されている。パッケージ型発電装置においては、パッケージ内の機器が発熱するので、パッケージ外部から冷却風を取り込み、パッケージ内の機器を冷却した後、パッケージ外部に排出するようにしている。
【０００３】
従来のパッケージ型発電装置の一般的な冷却構成を、図4ないし図6を参照して説明する。図４は吸気ダクトを介してパッケージ内に取り込んだ冷却風を、排気ダクトを介して上方に排気する形式のパッケージ型発電装置を示す正面図である。図４において、ベース１上に防振ゴム２を介して、直結された発電機３とエンジン４が搭載されている。エンジン４の図示左方向の側方には、エンジン４の排熱を熱交換するラジエータ５、およびエンジン４とプーリーを介して連結されたラジエータファン６が設けられ、また発電機３の図示右方向側方には、発電装置を運転制御する制御盤７が設けられ、これらラジエータ５および制御盤７も直接ベース１上に搭載されている。
【０００４】
発電機３、エンジン４および制御盤７等の機器は、内壁に消音材を取り付けた防音壁構造を有するパッケージ８により覆われている。パッケージ８の上方には、排ガス消音器９が配設され、エンジン４にフレキシブル配管１０を介して接続されている。
【０００５】
パッケージ８の一方の側面には、下面に開口部１１ａを有する吸気ダクト１１が連結されており、この吸気ダクト１１を介して冷却風１２をパッケージ８内に取り込むようになっている。なお、吸気ダクト１１とパッケージ８との連結部には金網や多数の孔を有する鉄板等からなる網状体１３が設けられており、吸気ダクト１１を通って鳥獣が入り込むのを防止している。
【０００６】
パッケージ８の他方側の上部には、上部開口部を有する排気ダクト１４が連結されており、この排気ダクト１４を介してパッケージ８内の機器を冷却した冷却風をパッケージ８の外部に排気するようになっている。なお、排気ダクト１４においても上部開口部に網状体１５が設けられて鳥獣の侵入を防止するようにしている。
【０００７】
排気ダクトの構成については、図５および図６に示すような構成も考えられている。図５は従来の他のパッケージ型発電装置を示す正面図であり、排気ダクト１６の上部開口部に、排ガス消音器９側を除く周囲３方向に開口部を有し、上方向を鉄板で閉じたカバー１７を設けたものである。図６は従来の更に他のパッケージ型発電装置を示す正面図であり、斜め下方に開口部を有する排気ダクト１８を設けたものである。また図示しないが、排気ダクトの開口部の向きを季節により変えることのできる構成として排気ダクトの積雪による影響を回避することも考えられている。
【特許文献１】特開平１０−３３６９５８号公報
【発明の開示】
【発明が解決しようとする課題】
【０００８】
ところで、上記従来の各パッケージ型発電装置においては、降雪時期に豪雪になると、吸気ダクト１１および網状体１３を介してパッケージ８内に冷却風を取り込む際に、同時に雪も吸い込んでしまうことがある。パッケージ８内に雪が吸い込まれると、パッケージ８内に配設されている機器に錆を発生させたり、発電機３内部の絶縁を低下させたりして故障を発生させるおそれがある。
【０００９】
一方、排気ダクト１４，１６または１８側においては、網状体１５に雪が積雪する場合があり、積雪すると排気ダクト１４，１６または１８の開口部が塞がれて冷却風がパッケージ８外部に排出されなくなることがあり、発電機３およびエンジン４等の機器の冷却を阻害するおそれがあった。この場合、網状体１５に付着した雪やカバー１７上の雪を除去する作業を行なって対処することもできるが、その雪降ろし作業が非常に手間のかかる作業となる。
【００１０】
また排気ダクトの開口部の向きを季節により変更することのできる構成とした場合には、季節により排気ダクトの取り付け状態を変える作業が必要となるほか、思いがけない豪雪に対応できない問題がある。
【００１１】
本発明は、上記従来の問題を解決するためになされたもので、豪雪時においても吸気ダクトから雪を取り込まないようにすることのできるパッケージ型発電装置を提供することを目的とする。    
また本発明は、豪雪時においても積雪により排気ダクトからの排気が阻害されることがなく、しかも雪降ろし作業等の手間のかかる作業を行なう必要のないパッケージ型発電装置を提供することを目的とする。
【課題を解決するための手段】
【００１２】
上記の課題を解決するため本発明は、ベース上に発電機、エンジンおよび制御盤を搭載して防音壁構造を有するパッケージで覆い、このパッケージの側面に吸気ダクトを設けたパッケージ型発電装置において、吸気ダクトを、その内部を通過する冷却風の流れが屈曲するように構成したことを特徴とする。
【００１３】
また本発明は、ベース上に発電機、エンジンおよび制御盤を搭載して防音壁構造を有するパッケージで覆い、このパッケージの上部に、上部開口部を有する排気ダクトを設けたパッケージ型発電装置において、排気ダクトの上部開口部にカバーを設け、このカバーを、周囲４方向および上方向を開口し、各開口部にそれぞれ網状体を取り付けて構成したことを特徴とする。
【発明の効果】
【００１４】
本発明によれば、吸気ダクトの内部を通過する冷却風の流れが屈曲するように構成したことにより、吸気ダクト内における冷却風の流れる距離が長くなり、しかも冷却風が非直線的にパッケージ内に取り込まれるために、吸気ダクトを介して冷却風を取り込む際に、同時に雪をパッケージ内に取り込むようなことがなくなる。
【００１５】
また本発明によれば、排気ダクトの上部開口部に設けるカバーを、周囲４方向および上方向を開口し、各開口部にそれぞれ網状体を取り付けて構成したことにより、一部の開口部の網状体に積雪が発生し排気ができなくなっても残りの開口部を介して排気できるので、排気ダクトからの冷却風の排気が阻害されるようなことがなくなる。しかもカバーの一部に積雪が発生しても、その近傍を高温になっている冷却風が継続して通過するために、その積雪した雪が溶かされていくことになるので、雪降ろし作業を行なうこともない。
【発明を実施するための最良の形態】
【００１６】
以下本発明の実施の形態を説明する。図１は本発明における第１の実施の形態にかかるパッケージ型発電装置を示し、（ａ）は正面図、（ｂ）は（ａ）の右側面図である。図１（ａ）および（ｂ）において、ベース１上に防振ゴム２を介して、直結された発電機３とエンジン４が搭載され、さらにエンジン４の排熱を熱交換するラジエータ５、エンジン４とプーリーを介して連結されたラジエータファン６、発電装置を運転制御する制御盤７もそれぞれ直接ベース１上に搭載されている。
【００１７】
これら発電機３およびエンジン４等の機器は、内壁に消音材を取り付けた防音壁構造を有するパッケージ８により覆われている。パッケージ８の上方には、排ガス消音器９が配設され、エンジン４にフレキシブル配管１０を介して接続されている。
【００１８】
パッケージ８の一方の側には、冷却風１２をパッケージ８内に取り込む吸気ダクト１９が連結されている。この吸気ダクト１９は逆Ｌ字状をなし、その水平方向に延びる部分の一方の開口部がパッケージ８の側面に連通され、上下方向に延びる部分のパッケージ８に面する側に、冷却風を取り入れる開口部１９ａが形成されている。これにより吸気ダクト１９の開口部１９ａから吸い込まれた冷却風は、吸気ダクト１９内を逆Ｌ字状に屈曲しながら通過してパッケージ８内に取り込まれることになる。なお、吸気ダクト１９の開口部１９ａには、金網や多数の孔を有する鉄板等からなる網状体１３が設けられており、吸気ダクト１９を通って鳥獣がパッケージ８内に入り込むのを防止している。
【００１９】
パッケージ８の他方の側には、上部に開口部を有する排気ダクト１４が連結されており、パッケージ８内の機器を冷却した冷却風がパッケージ８外部に排気されるようになっている。なお、排気ダクト１４においても網状体１５が設けられていて鳥獣の侵入を防止するようになっている。
【００２０】
上記のように構成されたパッケージ型発電装置は、エンジン４が起動して発電機３を回転させることにより発電を行ない電力を供給するようになっている。そしてエンジン４の回転によりプーリーを介して連結されたラジエータファン６が回転すると、吸気ダクト１９の開口部１９ａを介して冷却風１２を吸い込む。吸気ダクト１９内に吸い込まれた冷却風１２は、矢印で示すように逆Ｌ字状に屈曲して吸気ダクト１９内を通過してパッケージ８内に取り込まれ、その後、パッケージ８内の発電機３やエンジン４を冷却し、エンジン４の排熱によって温度上昇したラジエータ５の冷却水と熱交換を行なった後、排気ダクト１４および網状体１５を介してパッケージ８外部へと排出される。
【００２１】
ここで、吸気ダクト１９内は、上述のように冷却風１２が屈曲して流れるようになっているので、冷却風１２の流れる距離が長くなっており、しかも冷却風１２の流れが非直線的になっていて雪が通過する際の抵抗が高くなっているため、吸気ダクト１９を介して冷却風を取り込む際に、同時に雪をパッケージ８内に取り込むようなことがなくなる。この場合、吸気ダクト１９の開口部１９ａの開口面積を大きくしてパッケージ８内に取り込む冷却風１２の流速が遅くなるようにすることにより、開口部１９ａから浸入した雪が吸気ダクト１９内を通過し難くすることができる。
【００２２】
これらの作用により、吸気ダクト１９が冷却風１２を取り込む際に同時に雪も取り込んでパッケージ８内に浸入させるようなことがなくなり、パッケージ８内の機器に錆を発生させたり、発電機３内部の絶縁を低下させたりして機器の故障を発生させるようなことがなくなる。
【００２３】
なお、上記実施の形態では吸気ダクト１９を屈曲させたが、吸気ダクトは直線状とし、その内部に部分的な仕切り壁を設けて吸気ダクト内の冷却風の流れを屈曲させるようにすることもできる。
【００２４】
図２は本発明における第２の実施の形態にかかるパッケージ型発電装置を示し、（ａ）は正面図、（ｂ）は（ａ）の右側面図である。図１と同一部分には同一符号を付した図２（ａ）および（ｂ）において、本実施の形態が第１の実施の形態と異なる点は、吸気ダクト１９の開口部１９ａの周辺に、吸気ダクト１９を挟むようにして一対の網状体のフェンス２０を設けたところにある。
【００２５】
このように構成すれば、第１の実施の形態と同様の効果が得られるほか、豪雪時において、フェンス２０が舞い散る雪に対する遮蔽物となって、開口部１９ａを介して吸気ダクト１９内への雪の浸入をより一層低減することができる。
【００２６】
図３は本発明における第３の実施の形態にかかるパッケージ型発電装置を示し、（ａ）は正面図、（ｂ）は左側面図である。本実施の形態は、排気ダクト２１の上部にカバー２３を設けたもので、このカバー２３を、周囲４方向および上方向の計５方向を開口し、各開口部に金網等からなる網状体２２を取り付けて構成したところに特徴を有する。
【００２７】
このように構成すれば、カバー２３の５方向が排気口となり、豪雪時に横風等によりカバー２３および網状体２２に部分的に積雪が発生して数方向の冷却風１２の流れが阻害されても、残りの排気口から確実に冷却風１２を排出することができ、発電機３よびエンジン４の冷却を阻害させるようなことがなくなる。さらにカバー２３の一部に積雪があっても、発電装置が運転されていて高温の冷却風１２がカバー２３の積雪部分の近傍を通過してその積雪している雪を溶かすことにより、雪降ろし作業を行なう必要もなくなる。また排気ダクト２１は、季節により開口部の向きを変更する作業も必要なく、思いがけない豪雪があっても確実に冷却風１２の流れを確保でき、手間のかかる作業を行なうこともなく、発電機３およびエンジン４を冷却することが可能となる。
【００２８】
なお、上記各実施の形態において、エンジンの排熱をラジエータで冷却する場合について説明したが、ラジエータに代えて温水利用などの目的で部分的にパッケージ外で排熱回収を行なうようにすることもできる。
【図面の簡単な説明】
【００２９】
【図１】本発明における第１の実施の形態にかかるパッケージ型発電装置を示し、（ａ）は正面図、（ｂ）は（ａ）の右側面図である。
【図２】本発明における第２の実施の形態にかかるパッケージ型発電装置を示し、（ａ）は正面図、（ｂ）は（ａ）の右側面図である。
【図３】本発明における第３の実施の形態にかかるパッケージ型発電装置を示し、（ａ）は正面図、（ｂ）は（ａ）の左側面図である。
【図４】従来のパッケージ型発電装置を示す正面図である。
【図５】従来の他のパッケージ型発電装置を示す正面図である。
【図６】従来の更に他のパッケージ型発電装置を示す正面図である。
【符号の説明】
【００３０】
１…ベース
２…防振ゴム
３…発電機
４…エンジン
５…ラジエータ
６…ラジエータファン
７…制御盤
８…パッケージ
９…排ガス消音器
１０…フレキシブル配管
１１，１９…吸気ダクト
１１ａ…開口部
１２…冷却風
１３，１５，２２…網状体
１４，１６，１８，２１…排気ダクト
１７，２３…カバー
１９ａ…開口部
２０…フェンス
【図１】
2006136109.tif 000003
【図２】
2006136109.tif 000004
【図３】
2006136109.tif 000005
【図４】
2006136109.tif 000006
【図５】
2006136109.tif 000007
【図６】
2006136109.tif 000008